(57)【要約】【課題】地上への突出長さを従来のものに比べて短くして景観を損なわず、消火作業が容易にでき、凍結を防止できる消火用放水装置を提供する。【解決手段】圧力水の取入口６及び取入口６から取り入れられた圧力水を送水する送水口１０を有する弁箱１と、送水口１０に連結され、圧力水を放出する放水口２２を有する放水管４とを備え、弁箱１内の弁体７により前記取入口６から送水口１０への水路を開閉する放水装置において、放水管４は外管２と該外管２の内側での移動可能な内管３とを備え、外管２は前記送水口１０に連結される受水口１１及び内管３が出入可能な内管用口１６を有しており、内管３は外管２の中にあって圧力水を流入する流入口２３を有するとともに外管２の外にあって開閉弁１７が連結される放水口２２を有し、内管用口１６と流入口２３との間を隔てるシール環３０を内管３の外周と外管２の内周との間に有する構成とした。【選択図】        図４
2005009251.tif 000002
【特許請求の範囲】
【請求項１】
圧力水を取り入れる取入口及び前記取入口から取り入れられた圧力水を送水する送水口を有する弁箱と、前記送水口に連結され、開閉弁が連結されるべき放水口を有する放水管とを備え、前記弁箱内の弁により前記取入口から前記送水口への水路を開閉する放水装置において、
前記放水管は外管と前記外管の内側での移動可能な内管とを備え、前記外管は前記送水口に連結される受水口及び前記内管が出入可能な内管用口を有し、前記内管は、前記外管の中にあって前記圧力水を流入する流入口を有し、前記外管の内管用口と前記流入口との間を隔てるシール部材を前記内管の外周と外管の内周との間に有することを特徴とする放水装置。
【請求項２】
前記放水管は前記放水口を上側にして立設されたことを特徴とする請求項１に記載の放水装置。
【請求項３】
前記弁箱は前記取入口を下側にして立設されたことを特徴とする請求項１に記載の放水装置。
【請求項４】
前記放水管は前記放水口を上側にして立設されたことを特徴とする請求項３に記載の放水装置。
【請求項５】
前記外管の下端部に排水弁を設けたことを特徴とする請求項２又は４に記載の放水装置。
【請求項６】
前記弁箱内の前記弁と略同じ高さに前記送水口に連通する排水弁を設けたことを特徴とする請求項３又は４に記載の放水装置。
【請求項７】
前記排水弁は放圧弁であることを特徴とする請求項５又は６に記載の放水装置。
【請求項８】
前記弁の可動部は、前記弁箱に備えられた開閉可能な開口部から挿脱可能であることを特徴とする請求項１乃至請求項７のいずれかひとつに記載の放水装置。
【請求項９】
外管と前記外管の内側での移動可能な内管とを備える放水管であって、前記外管は圧力水を受け入れる受水口及び前記内管が出入可能な内管用口を有し、前記内管は、前記外管の中にあって圧力水を流入する流入口を有するとともに前記外管の外にあって開閉弁が連結されるべき放水口を有し、前記外管の内管用口と前記流入口との間を隔てるシール部材を前記内管の外周と外管の内周との間に有することを特徴とする放水管。
【請求項１０】
前記外管に排水弁を設けたことを特徴とする請求項９に記載の放水管。
【請求項１１】
前記排水弁は放圧弁であることを特徴とする請求項９に記載の放水管。
【発明の詳細な説明】
【０００１】
【発明の属する技術分野】
本発明は、圧力水源から供給された圧力水を放水するための放水装置及び該放水装置の一部を構成する放水管に関する。
【０００２】
【従来の技術】
図９は従来の放水装置を据付けた一例を示す説明図である。放水銃などの放水部を備えた消火用の放水装置は、地下に埋設された水道管１００に連結される取入口１０１をその下端に有する略円筒形の弁箱１０２と、弁箱１０２の途中から分岐して上方に延びる放水管１０３とを備えており、取入口１０１から放水管１０３への水路が形成されている。弁箱１０２の上部に設けられた蓋体１０４の中央部の貫通孔を貫通して上下方向に設けられた弁棒１０５の下端部には弁体（図示せず）が設けられており、該弁体の上部には前記弁体の水密性を保つための弁棒受けが前記弁体を下方に押圧して取り付けられている。前記弁体は前記弁棒１０５の操作に伴って上下移動をすることにより弁箱１０２内の水路の開閉を行う。弁箱１０２の前記弁体が設けられている高さ位置には排水弁１０６が取り付けられている。この排水弁１０６は前記弁体の一部に当接することが可能な可動片を有し、前記弁体の上下移動に応じて前記可動片が回動することにより弁の開閉が行われるように構成してある。例えば、このような放水装置の構成は特許文献１に記載されている。
【０００３】
弁箱１０２は地下に設けられたコンクリート製の基礎１０７に垂直的に固定され、弁箱１０２の周囲には、コンクリート製の基礎１０７の上側に、排水弁１０６からの排水を地下に流すための透水層である砕石層１０８が埋設され、砕石層１０８の上側には基礎砕石層１０９が埋設され、その上側にはコンクリート製のブロック１１０が弁箱１０２及び放水管１０３の回りに設けられており、弁箱１０２及び放水管１０３の上部がブロック１１０よりも上方に突出している。ブロック１１０上には収納ボックス１１１が設置され、弁箱１０２及び放水管１０３の上部を収納している。
【０００４】
消火作業の際には、前記収納ボックス１１１を開き、放水管１０３に取り付けられてあるハンドル１１２を操作することによって放水方向の位置決めをした後に前記弁棒１０５を操作することにより前記弁体を上方向に移動させて取入口１０１から放水管１０３までの水路を開き、放水管１０３の先端に取り付けられたノズル１１３から放水する。
【０００５】
消火作業が終了した場合には、前記弁棒１０５を操作して前記弁体を下方向に移動させ、前記水路を閉める。前記弁体が下方向に移動すると、前記弁体が前記排水弁１０６の前記可動片を回動して前記排水弁１０６が開き弁箱１０２内の水を地下に排水する。
【０００６】
【特許文献１】
特開２００１−８１８１７号公報
【０００７】
【発明が解決しようとする課題】
しかしながら、特許文献１に記載された消火用の放水装置にあっては、設置された状態での消火作業を容易にするため放水管１０３を地上から適宜の高さに設置する必要があるため、放水管１０３を収納ボックス１１１に収納するには地上に大きな収納ボックス１１１を要するとともに、周囲の景観を損ねるという問題があった。特に、文化財に指定されている建築物などの周囲に設置するためには景観を損なわない放水装置が望まれていた。
【０００８】
また、弁箱１０２内の下部に残留した水の凍結を防止するには、弁箱１０２の下部に設けられた排水弁１０６を地下深い位置に埋設する必要がある。しかし、消火作業の際における作業性を良くするためには、放水管１０３を所要の高さに配設する必要があり、放水装置の全体の縦寸法を小さくするには、排水弁１０６を地下の浅い位置になるように放水装置の下部を埋設せざるを得ないため、冬期に地表面で氷点下となる場合には、排水弁１０６より下側の弁箱１０２内の水道水が凍結して、消火作業の際に動作しないという問題があった。特に寒冷地においては、この問題が顕著に現れるため改善が望まれていた。
【０００９】
さらに、摩耗した弁体を交換する場合など弁箱１０２内の弁体部分の修理を行う場合には、弁体の上側に取り付けられた弁棒受けを取り外す必要があるため、放水装置の周囲に設けられたコンクリート製のピット１１０を砕き、基礎砕石層１０９などを取り除いて弁箱１０２を地下から引き上げて該弁箱１０２を分解する必要があり、前記弁体部分の修理作業は容易ではなかった。
【００１０】
本発明は、斯かる事情に鑑みてなされたものであり、弁箱に連結された外管の内管用口に嵌入された内管が前記外管の内側を移動可能に構成してあることにより、地上に設けられた収納ボックスを従来のものに比べて小さくして周囲の景観を損なわず、放水作業の際には容易に作業ができ、また、地下深く埋設して凍結を防止することができる放水装置及び放水管を提供することを目的とする。
【００１１】
また、前記弁箱内の弁と略同じ高さに排水弁を設け、前記放水管の外管に排水弁を設けることにより、前記弁箱及び外管の内部の凍結を防止することができる放水装置及び放水管を提供することを目的とする。
また、放圧弁を設けることにより、簡単な構造で確実に水を排水することができ、凍結を防止することができる放水装置及び放水管を提供することを目的とする。
また、前記弁の可動部は前記弁箱に設けられた開閉可能な開口部から挿脱可能に設けられていることにより、前記弁箱の周囲に施設されたコンクリートなどを壊して前記弁箱を分解することなく前記弁の可動部を前記弁箱から取り外すことができ、前記弁の可動部の修理を容易に行うことができる放水装置を提供することを目的とする。
【００１２】
【課題を解決するための手段】
第１発明に係る放水装置は、圧力水を取り入れる取入口及び前記取入口から取り入れられた圧力水を送水する送水口を有する弁箱と、前記送水口に連結され、開閉弁が連結されるべき放水口を有する放水管とを備え、前記弁箱内の弁により前記取入口から前記送水口への水路を開閉する放水装置において、前記放水管は外管と前記外管の内側での移動可能な内管とを備え、前記外管は前記送水口に連結される受水口及び前記内管が出入可能な内管用口を有し、前記内管は、前記外管の中にあって前記圧力水を流入する流入口を有し、前記外管の内管用口と前記流入口との間を隔てるシール部材を前記内管の外周と外管の内周との間に有することを特徴とする。
【００１３】
第２発明に係る放水装置は、前記放水管は前記放水口を上側にして立設されたことを特徴とする。
【００１４】
第３発明に係る放水装置は、前記弁箱は前記取入口を下側にして立設されたことを特徴とする。
【００１５】
第４発明に係る放水装置は、前記放水管は前記放水口を上側にして立設されたことを特徴とする。
【００１６】
第５発明に係る放水装置は、前記外管の下端部に排水弁を設けたことを特徴とする。
【００１７】
第６発明に係る放水装置は、前記弁箱内の前記弁と略同じ高さに前記送水口に連通する排水弁を設けたことを特徴とする。
【００１８】
第７発明に係る放水装置は、前記排水弁は放圧弁であることを特徴とする。
【００１９】
第８発明に係る放水装置は、前記弁の可動部は、前記弁箱に備えられた開閉可能な開口部から挿脱可能であることを特徴とする。
【００２０】
第９発明に係る放水管は、外管と前記外管の内側での移動可能な内管とを備える放水管であって、前記外管は圧力水を受け入れる受水口及び前記内管が出入可能な内管用口を有し、前記内管は、前記外管の中にあって圧力水を流入する流入口を有するとともに前記外管の外にあって開閉弁が連結されるべき放水口を有し、前記外管の内管用口と前記流入口との間を隔てるシール部材を前記内管の外周と外管の内周との間に有することを特徴とする。
【００２１】
第１０発明に係る放水管は、前記外管に排水弁を設けたことを特徴とする。
【００２２】
第１１発明に係る放水管は、前記排水弁は放圧弁であることを特徴とする。
【００２３】
第１発明、第２発明、第３発明、第４発明及び第９発明にあっては、弁箱に連結された放水管の外管の内側に放水口を有する内管が移動可能に嵌入され、外管と内管とは水密状態にしてあり、弁箱内に配置された弁の可動部を操作して取入口から送水口への水路を開くと、取入口から流入した圧力水は送水口から放水管に入り、内管の流入口から内管の内側に入り、該内管が所定の位置まで外管に対して引き出されるため、設置場所に応じて取入口と放水口とを所要の位置に配置することができ、消火等の放水作業を容易に行うことができる。
また、弁箱又は放水管を立設することにより、収納時には、地上に設けられた収納ボックスを従来のものに比べて小さくして周囲の景観を損なわず、前記弁箱の下部又は放水管の下部を地下深く埋設することができ弁箱、放水管の凍結を防止することができる。
【００２４】
第５発明、第６発明及び第１０発明にあっては、外管の下端部に排水弁を設け、弁箱内の弁と略同じ高さに排水弁を設けることにより、弁箱内の弁近傍及び放水管内の下端部に残留した水が排水され、凍結を防止することができる。
【００２５】
第７発明及び第１１発明にあっては、弁の可動部を操作して取入口からの圧入水の流入を止めると、弁箱、放水管内の水圧が低下して排水弁の弁部が開いて、弁箱及び放水管の内部に残留した水を排水することができ、簡単な構造で確実に凍結を防止することができる。
【００２６】
第８発明にあっては、弁の可動部は弁箱に設けられた開閉可能な開口部から挿脱可能に設けられていることにより、弁箱の周囲に施設されたコンクリートなどを壊し、前記弁箱を分解すことなく弁の可動部を弁箱から取り外すことができ、弁の可動部の修理を容易に行うことができる。
【００２７】
【発明の実施の形態】
以下、本発明をその実施の形態を示す図面に基づいて説明する。図１は本発明に係る放水装置の簡略化した配管図、図２は据付け状態での斜視図、図３は据付け状態での正面図、図４は一部破断正面図、図５は放水管の断面図である。
【００２８】
符号１は鋳鉄製であって略円筒形の弁箱であり、地下に埋設され略矩形状のコンクリート製の基礎５０上に支柱５０ａを介して垂直的に固定されている。弁箱１の下部には長手方向と交差する方向へ適長に突出した取入口６が設けられており、該取入口６が地中に埋設された水道管６０に連結される。弁箱１の上側の開口部５には、中央部に筒部１９ａを有する略円板状の蓋体１９がボルト止めされている。蓋体１９の筒部１９ａには中心軸線と交差する方向へ貫通する角孔１９ｂが設けられている。弁箱１の途中、換言すれば長手方向の中央部には長手方向と交差する方向へ開放された略円筒形の送水口１０が設けられている。
【００２９】
符号４は弁箱１と平行的に配置される放水管であり、鋳鉄製であって略円筒形の外管２の内側に、ステンレス鋼製であって円筒形の内管３が移動可能に収納されている。外管２の上部には適長に突出する円筒形の受水口１１が設けられており、該受水口１１が送水口１０に連結されている。弁箱１の下部及び放水管４の外管２の下部には夫々排水弁１３、１４が取付けられている。
【００３０】
コンクリート製の基礎５０の上側には、排水弁１３、１４から外部へ排水された水を地下に透水させるための透水層である砕石層５１が弁箱１及び放水管４の周囲に埋設されており、該砕石層５１の上側には基礎砕石層５２が埋設されており、該基礎砕石層５２の上側にはコンクリート製のピット５３が上部を地表に露出させ、ピット５３内に弁箱１及び放水管４の上部を露出するようにして埋設されている。尚、ピット５３の上部には両開き形の蓋部５５ａ，５５ａを有する収納ボックス５５が設置されている。
【００３１】
蓋体１９の角孔１９ｂには筒部１９ａと同心的に貫通する角形の嵌合孔及び該嵌合孔に開口するピン孔を有する連結環４８が回転自在であり、弁箱１の長手方向へは移動を不可能に挿入されており、該連結環４８の嵌合孔に第１及び第２の弁棒８、８ａが垂直的に固定されている。第１の弁棒８の上端部と第２の弁棒８ａの下端部とには前記ピン孔に対応するピン孔が設けられており、第１の弁棒８の上端部及び第２の弁棒８ａの下端部を前記嵌合孔に内嵌した状態で前記ピン孔の夫々にピンを挿入することにより第１及び第２の弁棒８、８ａを同軸的に連結してあり、連結環４８及び蓋体１９を介して弁箱１の長手方向へは移動を不可能にしてある。また、蓋体１９を弁箱１から取外すことにより、第１及び第２の弁棒８、８ａを後記する弁体とともに弁箱１内から取り出すことができるようにしてある。第２の弁棒８ａの上部には、ハンドル４９が取付けられており、第１の弁棒８の下部には雄ねじ８ｃが設けられている。
【００３２】
弁箱１の下部内側には弁座２０及び該弁座２０の近傍から弁箱の内周面に沿って弁箱の長手方向へ突設された２つの凸条２８が設けられている。また、弁箱１内における弁座２０の上側には、弁座２０に接触する弁体７が上下移動可能に配置されている。尚、弁座２０及び弁体７が弁を構成しており、この弁の可動部が弁体７になっている。
【００３３】
弁体７は上部にねじ孔７ａを有しており、下部に弁座２０と接触する弾性板７ｂ、該弾性板７ｂに重合された押え板７ｃ及び該押え板７ｃを固定する締付ねじ７ｄが設けられており、ねじ孔７ａに第１の弁棒８の雄ねじ８ｃ部分が相対回転可能に螺合されている。また、弁体７の外周部には前記凸条２８に相対移動を可能に係合する凸部４１，４１が突設されており、凸部４１，４１の凸条２８との係合により弁体７の回転を阻止し、前記第１の弁棒８の回転により弁体７を弁座２０と接離する方向へ移動させるようにしてある。
【００３４】
図６は排水弁の一部を破断した正面図である。弁箱１の弁座２０の近傍には弁箱１の長手方向と交差する方向へ貫通する排水孔１ａが設けられており、該排水孔１ａに送水口１０に連通する排水弁１３が取付けられている。また、弁箱１の排水孔１ａの近傍には下部が開放されており、排水弁１３を覆うカバー４７が設けられている。
【００３５】
排水弁１３は弁箱１内に水圧が発生しないときスプリングによって開動作し、弁箱１内に水圧が発生したとき該水圧により閉動作するスプリング式の放圧弁であり、弁座及び排水口１３ａを有する弁箱１３ｂと、中心部に貫通孔を有し外周部に複数の流水孔を有する円板状の弁ガイド１３ｃと、該弁ガイド１３ｃの中心側の貫通孔に移動可能に挿入された弁棒１３ｄを有し前記弁座に接触する弁体１３ｅと、前記弁棒１３ｄの先端部に固定され複数の流水孔を有するばね受け板１３ｆと、該ばね受け板１３ｆ及び前記弁ガイド１３ｃの間に配置され前記弁体１３ｅを弁座と離間する方向へ付勢するコイルスプリング１３ｇとを備えており、弁箱１内に圧力水がない場合はコイルスプリング１３ａの付勢力により弁体１３ｂが弁座と離間する方向へ移動して排水口１３ａを開き、弁箱１の内部に圧力水がある場合は圧力水の水圧によりコイルスプリング１３ａを撓ませ、弁体１３ｅを弁座に向けて移動させ、排水口１３ａは閉じるように構成されている。
【００３６】
図７は放水装置の一部を切欠いた側面図である。弁箱１は弁座２０と取入口６との間に弁座１ｂ及び該弁座１ｂに接触する副弁体２５が設けられており、また、弁箱１の外部には弁箱と平行的に配置された筒体４２が取着されている。
【００３７】
副弁体２５は外周部を球面とし、中心部に貫通孔２５ａを有しており、球面に前記貫通孔２５ａの中心軸線と交差する軸体２７が設けられており、該軸体２７が弁箱１に回転自在に支持されている。副弁体２５は軸体２７とともに回転し、球面が弁座１ｂと接触することにより弁箱１の流路を閉じ、貫通孔２５ａが弁座１ｂと向き合うことにより弁箱１の流路を開くようになっている。
【００３８】
軸体２７の先端部には歯部２７ａが設けられており、該歯部２７ａに噛合する歯部２６ａをその下端部に有する操作軸２６が前記筒体４２内に回転自在に設けられており、該操作軸２６の回転を歯部２６ａ，２７ａから軸体２７に伝動し、副弁体２５を回転させるように構成されている。また、操作軸２６の上端部には摘み部２６ｂが設けられている。
【００３９】
外管２の上部は内管用口１６を有しており、該内管用口１６に鍔部を有するブッシュ２１が内嵌されており、該ブッシュ２１内に内管３が移動自在に内嵌されている。また、ブッシュ２１の前記鍔部が外管２の上端にボルト止めされている。ブッシュ２１の外周面と前記内管用口１６との間及びブッシュ２１の内周面と内管３との間にはシール部材としてのシール環３０が夫々設けられており、該シール環３０により内管用口１６部分を封止、換言すればブッシュ２１の内側を移動する内管３と外管２との間の水密性を保持している。
【００４０】
外管２の下端には合成樹脂製のガスケットを挟んで円板状の底蓋９がボルト止めされており、該底蓋９により閉鎖されている。また、外管２の下端部には外管２の長手方向と交差する方向へ貫通する排水孔２ａが設けられており、該排水孔２ａに前記排水弁１３と同じ構成をなす排水弁１４が取付けられている。また、外管２の排水孔２ａの近傍には下部が開放されており、排水弁１４を覆うカバー４７が設けられている。
【００４１】
図８は排水弁の一部を破断した正面図である。排水弁１４は外管２内に水圧が発生しないときスプリングによって開動作し、外管２内に水圧が発生したとき該水圧により閉動作するスプリング式の放圧弁であり、弁座及び排水口１４ａを有する弁箱１４ｂと、中心部に貫通孔を有し外周部に複数の流水孔を有する円板状の弁ガイド１４ｃと、該弁ガイド１４ｃの中心側の貫通孔に移動可能に挿入された弁棒１４ｄを有し前記弁座に接触する弁体１４ｅと、前記弁棒１４ｄの先端部に固定され複数の流水孔を有するばね受け板１４ｆと、該ばね受け板１４ｆ及び前記弁ガイド１４ｃの間に配置され前記弁体１４ｅを弁座と離間する方向へ付勢するコイルスプリング１４ｇとを備えており、放水管４の内部に圧力水がない場合はコイルスプリング１４ａの付勢力により弁体１４ｂが弁座と離間する方向へ移動して排水口１４ａを開き、放水管４の内部に圧力水がある場合は圧力水の水圧によりコイルスプリング１４ａを撓ませ、弁体１４ｅを弁座に向けて移動させ、排水口１４ａは閉じるように構成されている。
【００４２】
内管３は引出位置において流入口２３が受水口１１の略上側と同程度の高さとなるように収納されている。この内管３の上部はブッシュ２１の外部へ突出しており、該内管３の上部にニップル２４が螺着されているとともに、該ニップル２４と前記ブッシュ２１との間にロックボルト３７を有するロックリング３２が外嵌されている。ロックボルト３７はロックリング３２を径方向に貫通するように螺着されており、ロックボルト３７を回し操作することにより該ロックボルト３７の一端が内管３の外周に当接し、該内管３が外管２へ収納される方向への移動を規制、換言すれば内管３の外管２からの引出位置を維持することができるように構成されている。尚、ロックボルト３７の他端には操作レバー３８が設けられている。
【００４３】
ニップル２４はノズル６１を有する放水部を、ボール形の自在管継ぎ手２９を介して内管３の上部に連結するものであるが、外管２から上方へ引き出された内管３が外管２内へ収納される際にはニップル２４がロックリング３２を介してブッシュ２１の鍔部に当接し、内管３を収納位置に維持することができるようになっている。
【００４４】
ニップル２４の上部には自在管継ぎ手２９を介して開閉弁１７が接続されており、該開閉弁１７に放水部としてのノズル６１が接続されている。自在管継ぎ手２９はボール部分がニップル２４に回転自在に接続されており、ボール部分を支点として放水部を３６０度の方向へ回動させることができるようになっている。また、自在管継ぎ手２９には取っ手２９ａが設けられており、開閉弁１７にはその弁体を動作させるための操作レバー１８が設けられている。
【００４５】
内管３の下端に設けられた流入口２３の近傍、換言すれば内管３の下部には内管３の上方への移動量を制限するストッパリング１５が螺着されており、内管３が外管２から上方へ引き出されるときストッパリング１５がブッシュ２１の下端に当接し、内管３の上方への移動を規制する。
【００４６】
内管３の外周と外管２の内周との間は水路となる間隙１２を有しており、内管３の収納位置において該内管３の流入口２３が隙間１２に連通している。これにより、受水口１１の位置が外管２の上部から下部に亘っていずれの位置にあっても、受水口１１から間隙１２及び内管３の流入口２３を経由して内管３の内側に対して水路が形成される。
【００４７】
次に、放水装置の動作について説明する。放水装置の水路は水道管６０に連結された取入口６から弁箱１の内部、送水口１０、受水口１１、外管２と内管３との間の間隙１２、流入口２３、内管３の内部、自在管継ぎ手２９及び開閉弁１７を経由してノズル６１に至る。
【００４８】
放水装置を使用していない場合には、弁体７が弁座２０に接触しており、弁箱１内の水路が閉じられているため、水道管６０からの圧力水は内管３内に供給されない。
消火等の放水作業の際には、予め副弁体２５により取入口６と弁座２０との間の水路が開放されている。この状態でハンドル４９により弁棒８，８ａを回し操作することにより弁棒８に対して弁体７が弁座２０と離間するように上方へ移動する。これにより取入口６から弁箱１の内部、送水口１０、受水口１１及び隙間１２を経由して内管３の内部に至る水路が開かれるため、取入口６から流入した水は、送水口１０、受水口１１、隙間１２、流入口２３、内管３の内部を流通して自在管継ぎ手２９内から開閉弁１７に供給され、該開閉弁１７の弁体に水圧が加わり、内管３が上方へ押し上げられる。この内管３の上方への移動によりストッパリング１５がブッシュ２１の下端に当接し、内管３の移動が規制され、該内管３は引出位置で停止することにより所定の高さに維持される。この状態で開閉弁１７に設けられたハンドル１８を回動操作することにより開閉弁１７が水路を開き、放水が開始される。
【００４９】
放水中は、流入口２３は受水口１１の略上側と同程度の高さ位置にあるため、取入口６から送水口１０、受水口１１を経由して内管３の内部を滑らかに圧力水が流れるとともに、自在管継ぎ手２９、開閉弁１７の弁体などに加わる水圧により内管３は引出位置に維持される。この状態で自在管継ぎ手２９の取っ手２９ａとノズル６１部分とを把持し、自在管継ぎ手２９を回動させることによりノズル６１の位置を自在に変えることができる。
【００５０】
放水作業が終了した場合には、ハンドル４９により弁棒８，８ａを操作して弁体７を弁棒８に対して弁座２０と接触するように移動させ、水路を閉鎖すると、弁箱１及び放水管４の内部の水圧が低下し、排水弁１３，１４のコイルスプリング１３ｇ，１４ｇにより弁体１３ｅ，１４ｅが開動作して排水口１３ａ，１４ａが開き、弁箱１及び外管２の内部の水が外部へ排水される。これにより、消火作業後に弁箱１の内部及び外管２の内部に水が残存せず、弁箱１及び放水管４の下部の凍結を防ぐことができる。
【００５１】
次に弁体７の修理について説明する。摘み部２６ａにより操作軸２６を操作して軸体２７を回動させ、副弁体２５を略９０度回転させると、副弁体２５の周面が弁座１ｂに接触し、取入口６と弁座２０との間の水路が閉鎖される。この状態で蓋体１９を弁箱１から上方へ取り外すことにより、該蓋体１９の筒部１９ａに保持された連結環４８、該連結環４８に連結された弁棒８、８ａを介して弁体７を上方へ移動させることができ、該弁体７を弁箱１の外部へ取り出すことができるため、弁体７の修理を容易にすることができる。
【００５２】
弁体７の修理後は、弁体７を弁箱１内に挿入し、該弁体７の凸部４１，４１を弁箱１の凸条２８に係合させて弁体７を弁座２０に接触させ、蓋体１９を弁箱１に取付ける。その後、操作軸２６を操作して副弁体２５の貫通孔２５ａが弁座１ｂと向き合うように回動させ、取入口６と弁座２０との水路を開放する。
【００５３】
本発明に係る放水装置は図３に示すように、ピット５３の底部が地下に設けられているため放水装置の地面５４（図３参照）から突出する部分を少なくすることができ、収納ボックス５５の高さを比較的低くすることができる。消火などの放水作業の際には収納ボックス５５の蓋部５５ａ，５５ａを開くことにより放水管４が所定の高さまで引き出されるため、放水作業を容易に行うことができるとともに、景観を損なわない。また、排水弁１３、１４を地下の深い位置に配置することができ、放水装置の下部の凍結を防止することができる。
【００５４】
本発明に係る実施の形態においては、送水口１０、受水口１１の位置が弁箱１の略中央部、換言すれば弁箱１内の弁座２０と離隔した位置に設けられていたが、その他、前記弁座２０の近傍位置に設けてあってもよい。この場合には、受水口１１は外管２の中央部または下部に設けることができる。
また、放出管４は長手方向が上下となるように配置される他、地面に対して傾斜するように配置されてもよいし、また、地面と平行的に配置されてもよい。また、外管２と弁箱１とは一体成形してもよい。この場合、内側に平行的な２つの孔を有することになるが、外形は特に制限されない。また、弁棒８，８ａは一体であってもよい。
また、本発明に係る放水装置は、消火とは別に用いることも可能である。また、本発明に係る放水管４は既存の放水装置における弁箱に連結することも可能である。
【００５５】
【発明の効果】
以上に詳述したように、本発明にあっては、弁箱に連結された放水管の外管の内側に放水口を有する内管が水密状態であって移動可能に嵌入されているため、収納時には地上への突出長さを従来のものに比べて短くして周囲の景観を損なわず、消火作業時には前記内管が前記外管から所定の位置まで引き出されることにより容易に作業ができる。また、前記放水管が伸縮するため前記弁箱及び放水管を地下深く埋設することができ前記弁箱及び放水管の凍結を防止することができる。
【００５６】
また、本発明にあっては、前記外管の下端部に排水弁を設け、前記弁箱内の弁と略同じ高さに排水弁を設けることにより、前記弁箱内の弁近傍及び放水管内の下端部に残留した水が排水され、前記弁箱及び外管の下部の凍結を防止することができる。
【００５７】
また、本発明にあっては、前記水路内の水圧が低下することにより前記排水弁の弁部が開き、簡単な構造で確実に弁箱及び放水管内の残留した水を外に排水することができる。
【００５８】
また、本発明にあっては、前記弁の可動部は前記弁箱に設けられた開閉可能な前記開口部から挿脱可能に設けられていることにより、前記弁箱の周囲に施設されたコンクリートなどを壊し、前記弁箱を分解すことなく前記弁の可動部を前記弁箱から取り外すことができ、前記弁の可動部の修理を容易に行うことができる。
【図面の簡単な説明】
【図１】本発明に係る放水装置の簡略化した配管図である。
【図２】本発明に係る放水装置の据付け状態での斜視図である。
【図３】本発明に係る放水装置の据付け状態での正面図である。
【図４】本発明に係る放水装置の一部破断正面図である。
【図５】本発明に係る放水管の断面図である。
【図６】本発明に係る放水装置の排水弁の一部を破断した正面図である。
【図７】本発明に係る放水装置の一部を切欠いた側面図である。
【図８】本発明に係る放水装置の排水弁の一部を破断した正面図である。
【図９】従来の放水装置を据付けた一例を示す説明図である。
【符号の説明】
１  弁箱
２  外管
３  内管
４  放水管
５  開口部
６  取入口
７  弁体（弁）
１０  送水口
１１  受水口
１３  排水弁
１４  排水弁
１６  内管用口
１７  開閉弁
２０  弁座（弁体）
２２  放水口
２３  流入口
３０  シール環（シール部材）
【図１】
2005009251.tif 000003
【図２】
2005009251.tif 000004
【図３】
2005009251.tif 000005
【図４】
2005009251.tif 000006
【図５】
2005009251.tif 000007
【図６】
2005009251.tif 000008
【図７】
2005009251.tif 000009
【図８】
2005009251.tif 000010
【図９】
2005009251.tif 000011